【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
光及び／又は熱及び／又は湿気によって誘発される促進分解性を有し、かつ、
（Ａ）天然及び／又は合成ポリマー、及び、
（Ｂ）式（Ｉ）
【化１】
2009507116.tif 000001
（式中、
ｎは、１、２又は４を表わし；
Ｘは、＞Ｃ＝Ｏ、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−
Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル
基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
Ｚは、有機基を表わす。）で表わされる分解促進剤
を含むが、但し、
（１）Ｙが、炭素原子数１ないし３０のアルキル基、炭素原子数２ないし３０のアルケニル基又は炭素原子数１ないし３０のスルホニル基を表わす場合、成分（Ａ）がポリオレフィンホモ−又はコポリマー、又はポリオレフィンホモ−又はコポリマーと他の合成ポリマーのブレンドであり；及び、
（２）ｎが２又は４を表わし、かつ同時に、成分（Ａ）がポリオレフィンホモ−又はコポリマー、又はポリオレフィンホモ−又はコポリマーと他の合成ポリマーのブレンドである場合、Ｙは、更に、水素原子を表わす
ところの組成物からなるポリマー物品。
【請求項２】
ｎが、１又は２を表わし；
Ｙが、炭素原子数１ないし３０のアルキル基、トリフェニルメチル基、ベンジル基、炭素原子数２ないし３０のアルカノイル基、
【化２】
2009507116.tif 000002
、−ＣＯＯＹ0（式中、Ｙ0は、炭素原子数１ないし１８のアルキル基を表わす。）；トシル基又は第三ブチルジフェニルシラニル基を表わし；ｎが、２を表わす場合、Ｙは、更に、水素原子も表わし；
ｎが、１を表わす場合、Ｚは、式
【化３】
2009507116.tif 000003
で表わされる基を表わし、
Ｚ0は、ＣＯＯＨ又は−ＣＯＯ−（炭素原子数１ないし２０のアルキル）基を表わし；
ｎが、２を表わす場合、Ｚは、式
【化４】
2009507116.tif 000004
で表わされる基を表わすところの、請求項１に記載のポリマー物品。
【請求項３】
成分（Ｂ）が、式
【化５】
2009507116.tif 000005
【化６】
2009507116.tif 000006
で表わされる化合物であるところの、請求項１に記載のポリマー物品。
【請求項４】
成分（Ａ）が、ポリオレフィンホモ−又はコポリマー、ポリエステルホモ−又はコポリマー、ポリアミドホモ−又はコポリマー、それらのブレンド、澱粉変性ポリオレフィン又
は澱粉ベースのポリマー複合材料であるところの、請求項１に記載のポリマー物品。
【請求項５】
光及び／又は熱及び／又は湿気の存在下において、天然及び／又は合成ポリマーの分解を促進するための方法であって、該方法は、該天然及び／又は合成ポリマー中に請求項１に記載の式（Ｉ）で表わされる化合物を配合することを含む方法。
【請求項６】
式（ＩＡ）
【化７】
2009507116.tif 000007
（式中、
ｎは、１、２又は４を表わし；
Ｘは、＞Ｃ＝Ｏを表わし；
Ｙは、炭素原子数１ないし３０のアルキル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0
、−Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル
基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化８】
2009507116.tif 000008
で表わされる基を表わし、
式（Ｉ−ｂ）、（Ｉ−ｃ）及び（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−
Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化９】
2009507116.tif 000009
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は
３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基に
よって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原
子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又
は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化１０】
2009507116.tif 000010
で表わされる基を表わす。）で表わされる化合物。
【請求項７】
式（ＩＢ）
【化１１】
2009507116.tif 000011
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、炭素原子数１ないし３０のアルキル基、炭素原子数２ないし３０のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数５ないし１２のシクロアルケニル基；６ないし１０個の炭素原子を有する二環式又は三環式のヒドロカルビル基、未置換の又は炭素原子数１ないし４のアルキル基１、２又は３個でフェニル基上を置換された炭素原子数７ないし９のフェニルアルキル基；未置換の又は炭素原子数１ないし４のアルキル基１、２又は３個
でフェニル基上を置換されたジフェニルメチル基；未置換の又は炭素原子数１ないし４のアルキル基１、２又は３個でフェニル基上を置換されたトリフェニルメチル基；炭素原子数２ないし３０のアシル基、−ＣＯＯＹ0、炭素原子数１ないし３０のスルホニル基、−
Ｓｉ（Ｙ1）3又は−Ｓｉ（ＯＹ2）3を表わし；
Ｙ0、Ｙ1及びＹ2は、互いに独立して、水素原子、炭素原子数１ないし１８のアルキル
基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが１を表わす場合、Ｚは式（Ｉ−ａ）、（Ｉ−ｂ）、（Ｉ−ｃ）、（Ｉ−ｄ）、（Ｉ−ｅ）、（Ｉ−ｆ）、（Ｉ−ｇ）、（Ｉ−ｈ）、（Ｉ−ｉ）、（Ｉ−ｊ）、（Ｉ−ｋ）、（Ｉ−ｌ）、（Ｉ−ｍ）又は（Ｉ−ｎ）
【化１２】
2009507116.tif 000012
で表わされる基を表わし、
式（Ｉ−ａ）ないし（Ｉ−ｄ）及び（Ｉ−ｋ）ないし（Ｉ−ｎ）の芳香族環及び式（Ｉ−ｅ）ないし（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル
基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化１３】
2009507116.tif 000013
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基に
よって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原
子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又
は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化１４】
2009507116.tif 000014
で表わされる基を表わす。）で表わされる化合物。
【請求項８】
式（ＩＣ）
【化１５】
2009507116.tif 000015
（式中、
ｎは、１、２又は４を表わし；
Ｘは、＞Ｓ（Ｏ）2又は＞Ｃ（Ｘ1）（Ｘ2）を表わし；
Ｘ1及びＸ2は、互いに独立して、水素原子、炭素原子数１ないし２０のアルキル基、未置換の又は炭素原子数１ないし４のアルキル基１、２又は３個で置換された炭素原子数３ないし１２のシクロアルキル基；又は未置換の又は炭素原子数１ないし４のアルキル基１、２又は３個で置換されたフェニル基を表わし；
Ｙは、水素原子を表わし；
ｎが１を表わす場合、Ｚは式（Ｉ−ｂ）、（Ｉ−ｃ）、（Ｉ−ｊ）、（Ｉ−ｋ）、（Ｉ−ｌ）又は（Ｉ−ｍ）
【化１６】
2009507116.tif 000016
で表わされる基を表わし、
式（Ｉ−ｂ）、（Ｉ−ｃ）、（Ｉ−ｋ）ないし（Ｉ−ｍ）の芳香族環及び式（Ｉ−ｊ）の残基は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ
（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基によって置換され；
Ｚ100、Ｚ101、Ｚ102及びＺ1は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが２を表わす場合、Ｚは、式（ＩＩ−ａ）、（ＩＩ−ｂ）、（ＩＩ−ｃ）又は（ＩＩ−ｄ）
【化１７】
2009507116.tif 000017
で表わされる基を表わし、
式（ＩＩ−ａ）ないし（ＩＩ−ｃ）の芳香族環は、所望により、ヒドロキシ基、炭素原子数１ないし３０のアルキル基、炭素原子数１ないし３０のアルキルオキシ基、炭素原子数２ないし３０のアルケニル基、炭素原子数２ないし３０のアルケニルオキシ基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換された炭素原子数３ないし１２のシクロアルキルオキシ基；炭素原子数６ないし１８のアリール基、炭素原子数６ないし１８のアリールオキシ基、炭素原子数２ないし３０のカルボキシレート基、炭素原子数２ないし３０のカルボキサミド基、炭素原子数２ないし３０のアシルオキシ基、炭素原子数１ないし３０のアシル基、炭素原子数１ないし３０のスルホニル基、−Ｓ−Ｚ100、−Ｓ（Ｏ）2（Ｎ（Ｚ101）2）、−Ｎ（Ｚ102）2、−Ｆ、−Ｃｌ、−Ｂｒ、−ＮＯ2又は−ＣＯＯＨからなる群から選択される１つ以上の基に
よって置換され；
Ｚ2は、＞Ｃ＝Ｏ、−Ｏ−、−Ｓ−、＞Ｎ−Ｒ1、＞Ｓ＝Ｏ又は−Ｓ（Ｏ）2−、炭素原
子数３ないし３０のジアシル基、炭素原子数３ないし３０のジ（アシルオキシ）基、炭素原子数３ないし４５のジカルボキシレート基、炭素原子数３ないし４５のジ（カルボキサミド）基、ジアミン又はジアミドを表わし；
Ｚ3及びＺ4は、互いに独立して、＞Ｃ＝Ｏ、−Ｏ−、−Ｓ−、＞Ｎ−Ｒ2、＞Ｓ＝Ｏ又
は−Ｓ（Ｏ）2−を表わし；
Ｒ1及びＲ2は、互いに独立して、水素原子、炭素原子数１ないし１８のアルキル基、炭素原子数３ないし１８のアルケニル基、未置換の又は炭素原子数１ないし４のアルキル基１、２又は３個で置換された炭素原子数３ないし１２のシクロアルキル基；未置換の又は炭素原子数１ないし４のアルキル基１、２又は３個で置換されたフェニル基；又は、未置換の又は炭素原子数１ないし４のアルキル基１、２又は３個でフェニル基上を置換された炭素原子数７ないし９のフェニルアルキル基を表わし；
ｎが４を表わす場合、Ｚは式（ＩＩＩ−ａ）
【化１８】
2009507116.tif 000018
で表わされる基を表わす。）で表わされる化合物。
【請求項９】
式
【化１９】
2009507116.tif 000019
で表わされる請求項６に記載の化合物。
【請求項１０】
式
【化２０】
2009507116.tif 000020
で表わされる化合物。